(57)【要約】      （修正有）【課題】みかんなどの青果物から発生したガスを収納袋の外に排出することが可能な青果物用自立包装体を提供する。【解決手段】青果物を収納するための収納袋１１と、その内部に配置された容器２１と、を備え、収納袋１１は、内部に蓄積したガスを排出するための上段及び下段貫通孔列１２ａ、１２ｂが、収納袋１１の側面１３を周回するように、貫通孔を形成していない帯域１４を挟むようにして上下方向に複数段形成されているとともに、容器２１は、上方の容器開口部の面積が容器底部の面積よりも大きな容器であって、収納袋１１内に配置されたときに、その上端縁部の上下方向の位置が、収納袋１１の側面１３に形成された下段貫通孔列１２ｂの上部位置と下部位置との範囲内に位置するように組み合わせされていることを特徴とする青果物用自立包装体Ａ。【選択図】図１
0003202077.tif 000002
【実用新案登録請求の範囲】
【請求項１】
青果物を収納するための収納袋と、
その内部に配置された容器と、を備え、
前記収納袋は、
内部に蓄積したガスを排出するための貫通孔列が、
収納袋の側面を周回するように、貫通孔を形成していない帯域を挟むようにして上下方向に複数段形成されているとともに、
前記容器は、
上方の容器開口部の面積が容器底部の面積よりも大きな容器であって、
前記収納袋内に配置されたときに、
その上端縁部の上下方向の位置が、
前記収納袋の側面に形成された下段貫通孔列の上部位置と下部位置との範囲内に位置するように組み合わせされていることを特徴とする青果物用自立包装体。
【考案の詳細な説明】
【技術分野】
【０００１】
本考案は、一般的には青果物用包装体に関し、特に、みかん、柿などの青果物を包装したまま流通させ、そのまま店先での陳列するために用いられるガス排出性に優れる青果物用自立包装体に関する。
【背景技術】
【０００２】
従来、みかん、柿などを収納する通気性を有する青果物用包装袋が種々提案されている。
例えば、特開２００５−２１９７６４号公報（以下、特許文献１という）、特開２００７−２２５８６号公報（以下、特許文献２という）には、
不定形果実類を包装するための樹脂フィルムと不織布とを組み合わせた不定形果実類包装袋が記載されている。
【先行技術文献】
【特許文献】
【０００３】
【特許文献１】特開２００５−２１９７６４号公報
【特許文献２】特開２００７−２２５８６号公報
【考案の概要】
【考案が解決しようとする課題】
【０００４】
しかしながら、特許文献１や２に記載された包装袋では、包装袋が樹脂フィルムと不織布を組み合わせて構成されるので、袋の構造が複雑であり、製造コストが高くなるという問題があった。
また、収納物としてのみかんや柿などの青果物からエチレンガスなどのガスが袋内で発生すると、袋内を密閉空間にすると袋が膨れ、袋の内圧が高まる。
このエチレンガスを速やかに袋の外に排出しないと、青果物の鮮度や品質を保持することができない。
たとえば、みかんを収納した場合には、みかんの外観のつやがなくなるなどの問題が生ずる。
【０００５】
そこで、本考案は、収納物としてのみかんや柿などの青果物から発生するガスを速やかに袋の外に排出することができる青果物用自立包装体を提供することを目的とする。
【課題を解決するための手段】
【０００６】
本考案に従った青果物用自立包装体Ａは、青果物Ｍを収納するための収納袋１１と、
その内部に配置された容器２１と、を備え、
前記収納袋１１は、内部に蓄積したガスを排出するための貫通孔列１２が、
収納袋１１の側面１３を周回するように、貫通孔を形成していない帯域１４を挟むようにして上下方向に複数段形成されているとともに、
前記容器２１は、上方の容器開口部２２の面積が容器底部２３の面積よりも大きな容器であって、前記収納袋１１内に配置されたときに、
その上端縁部２４の上下方向の位置２５が、前記収納袋１１の側面１３に形成された下段貫通孔列１２ｂの上部位置１２ｂ１と下部位置１２ｂ２との範囲内に位置するように組み合わせされていることを特徴とする。
【考案の効果】
【０００７】
本考案によれば、収納袋１１の側面１３を周回するように貫通孔列１２が形成されているので、収納物としての青果物から発生したガスを速やかに排出することができ、みかんなどの呼吸が適度に保たれ、鮮度を保持することができる。
さらに、通気性があるので、防湿気、防カビ、防露という効果も期待できる。
また、収納袋１１には、貫通孔を形成していない帯域１４が設けられているので、収納袋１１の強度を保つことができる。
さらに、収納袋１１の上部にも上段貫通孔列１２ａが形成されているので、
収納口部１１ａを閉じたときでも、青果物から発生したガスを排出することができる。
また、容器開口部２２の面積を大きくすることで、収納袋１１内に配置された状態でも、
青果物を容器の中に収納する作業が容易となる。
そして、収納袋１１の中に底面がフラット（平面）な容器を配置することで立位袋（スタンドパック、自立）としての使用が可能となり、流通時や店頭陳列時に姿勢を安定させることができ、青果物を傷めない。
【図面の簡単な説明】
【０００８】
【図１】本考案の一実施の形態を示す青果物用自立包装体の外観斜視図である。
【図２】図１の青果物用自立包装体の概略正面図である。
【図３】図１の収納袋を折りたたんだ状態を示す正面図（ａ）、側面図（ｂ）である。
【図４】図１の容器の上面図（ａ）、側面図（ｂ）である。
【図５】図１の青果物用自立包装体において、容器を収納袋に収める手順を示す説明図である。
【図６】本考案の一実施の形態を示す青果物用自立包装体に、青果物を収納した状態を示す斜視図である。
【図７】図６のみかんを収納した青果物用自立包装体の収納口部を閉じた状態を示す斜視図である。
【考案を実施するための形態】
【０００９】
以下、本考案の実施の形態の青果物用自立包装体を図面を用いながら説明する。
図１の青果物用自立包装体Ａの外観斜視図、及び図２の概略正面図に示すように、
実施形態の青果物用自立包装体Ａは、青果物を収納するための収納袋１１と、
その内部に配置された容器２１と、を備えている。
収納袋１１は、内部に蓄積したガスを排出するための貫通孔列１２が、収納袋１１の側面１３を周回するように、貫通孔を形成していない帯域１４を挟むようにして上下方向に複数段（上段貫通孔列１２ａ、下段貫通孔列１２ｂ）形成されている。
【００１０】
容器２１は、収納袋１１内に配置されたときに、その上端縁部２４の上下方向の位置２５が、収納袋１１の側面１３に形成された下段貫通孔１２ｂの上部位置１２ｂ１と下部位置１２ｂ２との範囲内に位置するように組み合わされている。
【００１１】
図３は、図１の収納袋を折りたたんだ状態を示す正面図（ａ）、側面図（ｂ）である。
収納袋１１は、たとえば、厚みが２５μｍの防曇処理が施された、２枚のＯＰＰ（延伸ポリプロピレン）フィルム、ＰＰ（ポリプロピレン）フィルム、ＰＥ（ポリエチレン）フィルムなどを、容器やみかんなどを挿入するために用いる収納口部１１ａを残して、側縁部１１ｂ、１１ｃ及び底縁部１１ｄを重ねて連続シール接合して形成されたものである。
実施形態では、収納袋１１の大きさとして、折り畳の状態で、高さ方向３１０ｍｍ、幅２４０ｍｍとしている。
また、下段貫通孔列１２ａと下段貫通孔列１２ｂとの間に形成されている、貫通孔を形成していない帯域１４の上下寸法幅は、２６ｍｍとしている。
このように、貫通孔を形成していない帯域１４を設けることにより、貫通孔を設けたことによる収納袋１１全体の強度低下を低減させることができる。
【００１２】
貫通孔１２の形態としては、本実施形態では、その大きさを直径０．８ｍｍとし、周方向および上下方向のピッチをそれぞれ７ｍｍとして、収納袋１１の側面に線状に周回させ、それを上下に複数列とし、下段貫通孔列１２ｂとして上下方向に５列、上段貫通孔列１２ａとして上下方向に３列形成している。
本実施形態では、下段貫通孔列１２ｂとして上下方向に５列設け、上段貫通孔列１２ａとして上下方向に３列設けている。
下段貫通孔列１２ｂを複数列としたのは下記の理由による。
すなわち、収納袋１１が不定形なため、収納袋１１へ容器２１を収納した後に容器が動いたときなどには、容器の上端縁部２４より上方に貫通孔がないとガスが排出されにくくなるおそれがある。
そこで、下段貫通孔列１２ｂを複数列に組み合わせ時における容器の上端縁部２４と下段貫通孔列１２ｂとの配置の許容性を拡大したのである。
一方、袋側壁全面に貫通孔を配置すると袋の強度低下を招くので、貫通孔の数はできるだけ少ない方が好ましい。
なお、貫通孔列の配置形態としては、上下方向で格子状、千鳥状などに配置は、いずれでもかまわない。
【００１３】
＜容器＞
図４の容器の上面図（ａ）、側面図（ｂ）に示すように、容器２１は、上方の容器開口部２２の面積が容器底部２３の面積よりも大きくしている。
実施形態では、透明樹脂（ＰＰ）製の逆円錐状の形状として、上部直径１５０ｍｍ、下部直径１２０ｍｍ、高さ８０ｍｍのサイズのものを用いている。
このように、上方の容器開口部２２の面積を容器底部２３の面積よりも大きくした容器を収納袋１１に配置することにより、青果物を青果物用自立包装体Ａに挿入しやすくなる。
また、下部を平面とした逆円錐状とすることにより、青果物を収納した状態で段ボールの中や店先での陳列時に自立させやすい。
【００１４】
図５の、容器を収納袋に収める手順に示すように、容器底部２３を収納口部１１から挿入して、収納袋１１内に容器を配置する。
容器２１は、収納袋１１内に配置されたときに、その上端縁部２４の上下方向の位置２５が、収納袋１１の側面１３に形成された下段貫通孔１２ｂの上部位置１２ｂ１と下部位置１２ｂ２との範囲内に位置するように組み合わせするようにする。
これにより、容器２１内に収納された青果物Ｍから排出されるガスの排気性が増す。
【００１５】
図６は、本考案の一実施の形態を示す青果物用自立包装体に、青果物を収納した状態を示す斜視図である。
収納袋１１内に配置された容器内にみかんなどの青果物が収納され、容器底部２３によって青果物用自立包装体Ａが安定して自立した状態であることが分かる。
【００１６】
図７は、図６のみかんを収納した青果物用自立包装体Ａの収納口部１１ａを閉じた状態を示す斜視図である。
図７に示すように、青果物用自立包装体Ａの上部を折り曲げて収納口部１１ａを閉じ、
この状態で段ボール箱などに収納されて流通過程におかれた後、段ボール箱から取り出されて青果物店などの店頭に陳列される。
図７のように収納口部１１が閉じられると、青果物から発生するガスの排出が阻害されるおそれが生ずる。
そこで、青果物用自立包装体Ａの収納口部１１ａが閉じられた状態でもガスの排出を妨げることがないよう、収納袋１１の上部に上段貫通孔列１２ａを設けてある。
【００１７】
なお、収納する青果物としては、みかん、柿などの果物、馬鈴薯などの野菜などにも適用できる。
すなわち、本考案の青果物包装体は、ガスを発生し得る種々の青果物を収納する場合に用いることができる。
【産業上の利用可能性】
【００１８】
本考案の青果物包装体は、青果物の種類やサイズなどに合わせて、貫通孔の位置や大きさを変更することにより、袋の中の湿度などを調整することができるので、産業上において幅広い利用可能性がある。
【符号の説明】
【００１９】
Ａ：青果物用自立包装体
Ｍ：青果物（収納物）
１１：収納袋
１１ａ：収納口部
１１ｂ、１１ｃ：側縁部
１１ｄ：底縁部
１２：貫通孔、貫通孔列
１２ａ：上段貫通孔列
１２ｂ：下段貫通孔列
１２ｂ１：下段貫通孔列の上部位置
１２ｂ２：下段貫通孔列の下部位置
１２ａ：上段貫通孔列
１３：収納袋の側面
１４：帯域
２１：容器
２２：容器開口部
２３：容器底部
２４：容器の上端縁部
２５：上下方向の位置
【図１】
0003202077.tif 000003
【図２】
0003202077.tif 000004
【図３】
0003202077.tif 000005
【図４】
0003202077.tif 000006
【図５】
0003202077.tif 000007
【図６】
0003202077.tif 000008
【図７】
0003202077.tif 000009